(57)【要約】【課題】  所望とする相手先の電話帳検索を、直感的でかつ素早く検索することが可能な携帯通信端末を提供する。【解決手段】  携帯通信端末（１）は、情報の表示及び入力が可能なタッチ表示手段（表示部１８）と、少なくともカテゴリ情報及び通信情報を登録可能な電話帳を格納する記憶手段（記憶部２２）と、タッチ表示手段を介して入力されたカテゴリ情報及び通信情報に基づいて電話帳を検索して一覧表示する電話帳検索手段（制御部２３）と、電話帳検索手段にて一覧表示された複数の電話帳情報から一の情報が選択された場合に当該情報を宛先とする通信機能を実行する通信制御手段（制御部２３）とを備えている。【選択図】      図１
2011250045.tif 000002
【特許請求の範囲】
【請求項１】
情報の表示及び入力が可能なタッチ表示手段と、
少なくともカテゴリ情報及び通信情報を登録可能な電話帳を格納する記憶手段と、
前記タッチ表示手段を介して入力された前記カテゴリ情報及び前記通信情報に基づいて前記電話帳を検索して一覧表示する電話帳検索手段と、
前記電話帳検索手段にて一覧表示された複数の電話帳情報から一の情報が選択された場合に当該情報を宛先とする通信機能を実行する通信制御手段とを有することを特徴とする携帯通信端末。
【請求項２】
前記タッチ表示手段は、利用者の入力操作を感知するスイッチ機能を兼ね備えたタッチパネルを少なくとも含むことを特徴とする請求項１記載の携帯通信端末。
【請求項３】
前記通信情報は、
少なくともＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）、ＷｉＭＡＸ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）のいずれかを示す通信種別と、
少なくとも音声通話、テレビ電話、ファクシミリ、電子メール、ショートメッセージのいずれかを示す通信機能と
に関する情報を含むことを特徴とする請求項１または請求項２記載の携帯通信端末。
【請求項４】
情報の表示及び入力が可能なタッチ表示手段と、少なくともカテゴリ情報及び通信情報を登録可能な電話帳を格納する記憶手段とを含む携帯通信端末に用いる電話帳検索方法であって、
前記携帯通信端末が、前記タッチ表示手段を介して入力された前記カテゴリ情報及び前記通信情報に基づいて前記電話帳を検索して一覧表示する電話帳検索処理と、前記電話帳検索処理にて一覧表示された複数の電話帳情報から一の情報が選択された場合に当該情報を宛先とする通信機能を実行する通信制御処理とを実行することを特徴とする電話帳検索方法。
【請求項５】
前記タッチ表示手段に、利用者の入力操作を感知するスイッチ機能を兼ね備えたタッチパネルを少なくとも備えたことを特徴とする請求項４記載の電話帳検索方法。
【請求項６】
前記通信情報は、
少なくともＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）、ＷｉＭＡＸ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）のいずれかを示す通信種別と、
少なくとも音声通話、テレビ電話、ファクシミリ、電子メール、ショートメッセージのいずれかを示す通信機能と
に関する情報を含むことを特徴とする請求項４または請求項５記載の電話帳検索方法。
【請求項７】
情報の表示及び入力が可能なタッチ表示手段と、少なくともカテゴリ情報及び通信情報を登録可能な電話帳を格納する記憶手段とを含む携帯通信端末内の中央処理装置に実行させるプログラムであって、
前記タッチ表示手段を介して入力された前記カテゴリ情報及び前記通信情報に基づいて前記電話帳を検索して一覧表示する電話帳検索処理と、前記電話帳検索処理にて一覧表示された複数の電話帳情報から一の情報が選択された場合に当該情報を宛先とする通信機能を実行する通信制御処理とを含むことを特徴とするプログラム。
【発明の詳細な説明】
【技術分野】
【０００１】
本発明は携帯通信端末及びそれに用いる電話帳検索方法並びにそのプログラムに関し、特に携帯電話機等の携帯通信端末に搭載された電話帳における相手先の検索に関する。
【背景技術】
【０００２】
携帯電話機の電話帳には、電話番号やメールアドレス等が登録可能であるが、登録されている情報の件数、情報量（自宅電話、携帯電話、会社電話、ＦＡＸ、メールアドレス等）が多い場合、所望とする情報を検索して得るまでに多くの操作を必要としている。
【０００３】
この相手先の検索を容易に行う方法としては、個々の情報にインデックスを関連付けてインデックスを目印にしてジャンプして検索する方法（例えば、特許文献１参照）、「あかさたな」等の行単位でジャンプして検索する方法（例えば、特許文献２参照）等がある。
【先行技術文献】
【特許文献】
【０００４】
【特許文献１】特開平１１−１１０４０７号公報
【特許文献２】特開平０７−２１２４５２号公報
【発明の概要】
【発明が解決しようとする課題】
【０００５】
しかしながら、上記の電話帳の検索方法では、電話帳に登録されている情報の件数、情報量が多いと、所望とする情報を得るまでに多くの操作を必要とするため、例えば、「あ行」の登録先であればすぐに検索ができるが、「ま行」、「や行」の宛先を検索するには、何回ものキー操作が必要となる。
【０００６】
また、上記の電話帳の検索方法では、同じ相手であっても、自宅電話、携帯電話、会社電話、ＦＡＸ、メールアドレス等の複数の通信先が登録されている場合、さらに情報を選択するための操作が必要となる。
【０００７】
さらにまた、タッチパネル付きの携帯電話機やスマートフォンにおいては、主にタッチ操作により電話帳検索を行うが、直感的で、かつ素早く検索できる操作性が求められている。
【０００８】
そこで、本発明の目的は上記の問題点を解消し、所望とする相手先の電話帳検索を、直感的でかつ素早く検索することができる携帯通信端末及びそれに用いる電話帳検索方法並びにそのプログラムを提供することにある。
【課題を解決するための手段】
【０００９】
本発明による携帯通信端末は、情報の表示及び入力が可能なタッチ表示手段と、
少なくともカテゴリ情報及び通信情報を登録可能な電話帳を格納する記憶手段と、
前記タッチ表示手段を介して入力された前記カテゴリ情報及び前記通信情報に基づいて前記電話帳を検索して一覧表示する電話帳検索手段と、
前記電話帳検索手段にて一覧表示された複数の電話帳情報から一の情報が選択された場合に当該情報を宛先とする通信機能を実行する通信制御手段とを備えている。
【００１０】
本発明による電話帳検索方法は、情報の表示及び入力が可能なタッチ表示手段と、少なくともカテゴリ情報及び通信情報を登録可能な電話帳を格納する記憶手段とを含む携帯通信端末に用いる電話帳検索方法であって、
前記携帯通信端末が、前記タッチ表示手段を介して入力された前記カテゴリ情報及び前記通信情報に基づいて前記電話帳を検索して一覧表示する電話帳検索処理と、前記電話帳検索処理にて一覧表示された複数の電話帳情報から一の情報が選択された場合に当該情報を宛先とする通信機能を実行する通信制御処理とを実行している。
【００１１】
本発明によるプログラムは、情報の表示及び入力が可能なタッチ表示手段と、少なくともカテゴリ情報及び通信情報を登録可能な電話帳を格納する記憶手段とを含む携帯通信端末内の中央処理装置に実行させるプログラムであって、
前記タッチ表示手段を介して入力された前記カテゴリ情報及び前記通信情報に基づいて前記電話帳を検索して一覧表示する電話帳検索処理と、前記電話帳検索処理にて一覧表示された複数の電話帳情報から一の情報が選択された場合に当該情報を宛先とする通信機能を実行する通信制御処理とを含むことを特徴とする。
【発明の効果】
【００１２】
本発明は、上記のような構成及び動作とすることで、所望とする相手先の電話帳検索を、直感的でかつ素早く検索することができるという効果が得られる。
【図面の簡単な説明】
【００１３】
【図１】本発明の実施の形態による携帯通信端末の構成例を示すブロック図である。
【図２】図１に示す携帯通信端末の動作を示すフローチャートである。
【図３】図１に示す携帯通信端末の動作を説明するための図である。
【発明を実施するための形態】
【００１４】
次に、本発明の実施の形態について図面を参照して説明する。まず、本発明による携帯通信端末の概要について説明する。本発明は、タッチパネルを備える携帯通信端末において、所望とする相手先の電話帳検索を、直感的でかつ素早く実行可能とすることを特徴とする。
【００１５】
本発明による携帯通信端末は、情報の表示及び入力が可能なタッチ表示部と、少なくともカテゴリ情報及び通信情報を登録可能な電話帳を格納する記憶部と、タッチ表示部を介して入力されたカテゴリ情報及び通信情報に基づいて電話帳を検索して一覧表示する電話帳検索部と、一覧表示された複数の電話帳情報から一の情報が選択された場合に当該情報を宛先とする通信機能を実行する通信制御部とを備えたことを特徴とする。
【００１６】
また、本発明による携帯通信端末は、電話帳の通信情報として、少なくとも通信種別［ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）、ＷｉＭＡＸ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）等］と、通信機能［音声通話、ＴＶ（テレビ）電話、ＦＡＸ（フィクシミリ）、メール、ショートメッセージ等］に関する情報とを含むことを特徴とする。
【００１７】
図１は本発明の実施の形態による携帯通信端末の構成例を示すブロック図である。図１において、携帯通信端末１は、無線通信用アンテナ１０と、放送受信用アンテナ１１と、無線通信部１２と、放送受信部１３と、カメラ部１４と、音声処理部１５と、マイク１６と、スピーカ１７と、表示部１８と、操作部１９と、スピーカ２０と、測位部２１と、記憶部２２と、制御部２３とを備えて構成されている。
【００１８】
携帯通信端末１は、プログラム制御により動作する通信機能（通話、メール送受信、インタネット接続）やＴＶ放送受信機能等を備えた携帯情報処理装置であって、タッチパネル機能を有する表示部１８を備えている。
【００１９】
無線通信部１２は、無線通信用アンテナ１０を介して無線により情報の送受を行う。尚、無線通信部１２は、ＷＣＤＭＡ、ＷＬＡＮ、ＷｉＭＡＸ、ＧＳＭ等の複数の通信システムに対応する複数の無線モジュールにより構成されていても良い。
【００２０】
放送受信部１３は、放送局（地上局、衛星等）から送信された放送信号を、放送受信用アンテナ１１を介して受信し、該受信した信号の復調による映像データ、音声データ、情報データ等の放送信号処理を行う。
【００２１】
カメラ部１４は、画像情報の取得（撮影）を行い、音声処理部１５は、送話部（マイク１６）及び受話部（スピーカ１７）を介して入出力された音声信号の処理を行う。
【００２２】
表示部１８は、画像、図形、文字、記号等の情報表示出力（映像信号処理）を行う表示機能、及び圧力や静電容量等の方式により利用者の入力操作を感知するスイッチ機能を兼ね備えたタッチパネル（タッチスクリーン）である。
【００２３】
操作部１９は、利用者の入力を押下等のスイッチ操作により行い、スピーカ２０は、楽音や報知音等の鳴音出力を行い、測位部２１は、図示せぬＧＰＳ（Ｇｌｏｂａｌ  Ｐｏｓｉｔｉｏｎｉｎｇ  Ｓｙｓｔｅｍ）衛星から発射された電波が携帯通信端末１に到達するまでの時間を測定し、この時間差からＧＰＳ衛星と携帯通信端末１との距離を求め、この距離を利用して位置座標を求める。
【００２４】
記憶部２２は、電話帳情報、送受信メール情報、発着呼情報、コンテンツ情報、アプリケーションプログラム情報、撮影画像、及び携帯無線端末１の諸設定等の情報を格納する。
【００２５】
制御部２３は、記憶部２２に格納されたプログラムを実行するＣＰＵ（中央処理装置）であり、プログラムの実行により、電話機能、メール機能、インタネット（ｗｅｂ）接続機能、カメラ機能、テレビ受信機能、コンテンツ再生機能、その他の端末の有する機能や各部の制御を行う。
【００２６】
図２は図１に示す携帯通信端末の動作を示すフローチャートであり、図３は図１に示す携帯通信端末の動作を説明するための図である。これら図１〜図３を参照して本発明の実施の形態による携帯通信端末１の動作について説明する。尚、図２に示す処理動作は、制御部２３が記憶部２２に格納されたプログラムを実行することで実現される。
【００２７】
携帯通信端末１の制御部２３は、表示部１８を介する利用者の入力により電話帳の検索を検出すると（図２ステップＳ１）、図３（ａ）に示す表示態様に推移する。さらに、制御部２３は、図３（ｂ）に示すようにカテゴリ（「友人」）と電話／メール（「携帯アドレス」）が入力されると（図２ステップＳ２）、電話帳を検索して該当する情報を抽出して表示部１８に一覧情報として出力する（図２ステップＳ３，Ｓ４）。
【００２８】
ここで、制御部２３は、図３（ｃ）に示すように、個別の情報が選択（タッチ）されると（図２ステップＳ５）、選択情報が電話番号であれば当該番号に対する発信処理が実行され、メールアドレスであればメーラが起動して当該アドレスが宛先（送信先）として入力される（図２ステップＳ６）。
【００２９】
上述した携帯通信端末１では、電話帳を検索する際の選択肢として、カテゴリ（家族、親戚、友人、会社、仲良し、男友達、女友達等）と、電話［携帯電話、固定電話（自宅、会社、店舗等）］、メール［携帯、ＰＣ（パーソナルコンピュータ）等］を提示して選択を行っているが、これに限定されるものではなく、例えば、携帯通信端末１が複数の通信システム（ＷＣＤＭＡ、ＷＬＡＮ等）に対応している場合には、電話、メール機能をさらに細分化しても良い。
【００３０】
このように、本実施の形態では、上記のような構成及び動作とすることで、タッチパネルを備えた無線通信端末１において、所望とする相手先の電話帳検索を、直感的でかつ素早く検索することができる。
【符号の説明】
【００３１】
１  携帯通信端末
１０  無線通信用アンテナ
１１  放送受信用アンテナ
１２  無線通信部
１３  放送受信部
１４  カメラ部
１５  音声処理部
１６  マイク
１７，２０  スピーカ
１８  表示部
１９  操作部
２１  測位部
２２  記憶部
２３  制御部
【図１】
2011250045.tif 000003
【図２】
2011250045.tif 000004
【図３】
2011250045.tif 000005